(57)【特許請求の範囲】
【請求項１】
使用者に姿勢のサポートを提供することのできるベッドであって、前記ベッドが、
高さが調整可能なヘッドレスト；
前記使用者の背中を傾斜させる傾斜角度が調整可能なバックレスト；及び
前記ヘッドレストと前記バックレストとの間に位置するショルダーアームレストを含み、
前記ヘッドレスト、バックレスト及び前記ショルダーアームレストが、前記ヘッドレスト及びバックレストが上昇位置に調整されるときに、前記ヘッドレストと前記バックレストとの間に横方向に延在しそれらを分離するチャネルを形成するように構成可能であり、
前記チャネルのベースは前記ショルダーアームレストにより形成され、
前記チャネルの対向する壁は前記ヘッドレスト及び前記バックレストにより形成され、
前記バックレストが平坦な傾斜角度に調整されるときに、前記チャネルを形成していない前記バックレスト及びショルダーアームレストの実質的に平らな睡眠時表面を形成するように構成可能であり、それにより、前記バックレストの調整で、前記バックレスト及びショルダーアームレストが一直線になる、
ベッド。
【請求項２】
前記バックレストが前記ベッドの中央領域から傾斜し、前記ベッドの下部領域に下体レストが配置される、請求項１に記載のベッド。
【請求項３】
前記ショルダーアームレストの高さが調整可能でない、請求項２に記載のベッド。
【請求項４】
前記ヘッドレストが、ヘッドレストベースによって支持されるヘッドレストクッションを含み、前記ヘッドレストベースが、高さを調整可能にするヘッドレストアクチュエータに連結される、請求項１に記載のベッド。
【請求項５】
前記ヘッドレストアクチュエータが、ヘッドレスト電気モーター及び前記ヘッドレストベースに下から連結されたヘッドレストアクチュエータシャフトを含む、請求項４に記載のベッド。
【請求項６】
前記バックレストが、バックレストベースによって支持されるバックレストクッションを含み、前記バックレストベースが、傾斜を調整可能にするバックレストアクチュエータに連結される、請求項１に記載のベッド。
【請求項７】
前記バックレストアクチュエータが、バックレスト電気モーター及び前記バックレストベースに下から連結されたバックレストアクチュエータシャフトを含む、請求項６に記載のベッド。
【請求項８】
前記ヘッドレスト及び前記バックレストが独立して調整可能である、請求項１に記載のベッド。
【請求項９】
請求項１に記載の前記ベッドの構造の外側ベッドフレームへ挿入されることのできるインサートであって、
インサートの骨組みを形成するインサートフレーム；
ヘッドレストクッションを支持するように適合され、かつ前記ヘッドレストの高さを調整可能にするために、ヘッドレストアクチュエータを介して前記インサートフレームに連結されるインサートフレームの端部に隣接して配置されたヘッドレストベース；
バックレストクッションを支持するように適合されるバックレストベースであって、
前記バックレストベースは、前記インサートの中央領域とヘッドレストベースの間に配置され、かつインサートの中央領域の駆動軸周りの傾斜を調整可能にするために、前記バックレストアクチュエータを介して前記インサートフレームに連結される、バックレストベース；
前記ヘッドレストベースとバックレストベースの間に配置されたショルダーアームレストクッションを支持するように適合される、ショルダーアームレストベース
を含むインサート。
【請求項１０】
前記インサートフレームが、前記ヘッドレストベース及びバックレストベースを受容する上体部分、及び下体クッションを支持するように適合される下体部分の、２部分に構築される、請求項９に記載のインサート。
【請求項１１】
前記２部分が取り外し可能である、請求項１０に記載のインサート。
【請求項１２】
前記ヘッドレストアクチュエータが、前記インサートフレームに前記ヘッドレストベースの下に配置されるフレーム延長部で取り付けられている、請求項９に記載のインサート。
【請求項１３】
前記バックレストアクチュエータが、前記インサートフレームに前記バックレストベースのピボット軸の下に延在するエクステンションアームで取り付けられている、請求項９に記載のインサート。
【請求項１４】
請求項９に記載のインサート、前記ヘッドレストクッション、前記ショルダーアームレストクッション及び前記バックレストクッションを含む、ベッド用キット。
【請求項１５】
請求項１０に記載のインサート、前記ヘッドレストクッション、前記ショルダーアームレストクッション、前記バックレストクッション及び前記下体クッションを含む、ベッド用キット。
【発明の詳細な説明】
【技術分野】
【０００１】
本発明は、使用者に姿勢のサポートを提供することのできるベッドに関し、具体的には、使用者の上体を傾斜させることができる改良されたベッドに関する。本発明は、使用者又は彼らと一緒に眠る人の快適性、健康又は睡眠の質を改良するための、睡眠時無呼吸、胃食道逆流症又は任意の関連する医学上又は姿勢上の要求を防止又は改善するのに有用であり得る。
【背景技術】
【０００２】
Ｏｓｗａｌｄ  Ａｂｒａｈａｍは、国際公開ＷＯ２００９／１０３１０９（オーストラリア特許２００９２１７２２０として特許が与えられてもいる）において、使用者の頭及び背中（又は胸郭）を支持するように適合されるヘッドレスト及びバックレストを備え、使用者の腕を少なくとも部分的に収容するためにヘッドレストとバックレストとを分離するチャネルを備える、改良された姿勢のサポート枕を開示した。この枕は、睡眠時無呼吸、胃食道逆流症において胃酸が逆流することによる食道の刺激が引き起こす疼痛、及び多くの他の姿勢に敏感な状態を含む、多数の状態について、多くの使用者でうまくいくことが証明されている。ＷＯ２００９／１０３１０９の開示は、参照により本明細書に組み込まれる。
【０００３】
枕は単に、空気充填枕の場合には膨張のレベルを調整することによって、又は扱いにくい取り外し可能なインサートによって、使用者の変化する好み又は要求について調整可能であるだけであり、位置付け及び保管に不便である可能性がある。それ故に、容易に調整可能であり、利便性及び保管上の問題を解決する、改良された装置を提供する必要がある。
【０００４】
本発明は、Ａｂｒａｈａｍの枕の単純な幾何学的構造が、調整可能なベッドの形での便利な実施を可能にするという認識に由来し、上記の欠点に洗練された解決策を提供する。
【発明の概要】
【課題を解決するための手段】
【０００５】
本発明の第１の広い態様によれば、使用者に姿勢のサポートを提供することのできるベッドが提供され、このベッドは、
高さが調整可能なヘッドレスト；
使用者の背中を傾斜させる傾斜角度が調整可能なバックレスト；及び
ヘッドレストとバックレストとの間に位置するショルダーアームレストを含み、
ヘッドレスト、バックレスト及びショルダーアームレストが、ヘッドレスト及びバックレストが上昇位置に調整されるときに、ヘッドレストとバックレストとの間に延在しそれらを分離するチャネルを形成するように構成可能であり、バックレストが平坦な角度の向きに調整されるときに、チャネルを形成していないバックレスト及びショルダーアームレストの実質的に平らな睡眠時表面を形成するように構成可能である。
【０００６】
一つの実施形態において、バックレストがベッドの中央領域から傾斜し、ベッドの下部領域に下体レストが配置される。
【０００７】
一つの実施形態において、ショルダーアームレストの高さが調整可能でない。
【０００８】
一つの実施形態において、ヘッドレストが、ヘッドレストベースによって支持されるヘッドレストクッションを含み、ヘッドレストベースが、高さを調整可能にするヘッドレストアクチュエータに連結される。ヘッドレストアクチュエータは、ヘッドレスト電気モーター及びヘッドレストベースに下から連結されたヘッドレストアクチュエータシャフトを含んでよい。
【０００９】
一つの実施形態において、バックレストが、バックレストベースによって支持されるバックレストクッションを含み、バックレストベースが、傾斜を調整可能にするバックレストアクチュエータに連結される。バックレストアクチュエータは、バックレスト電気モーター及びバックレストベースに下から連結されたバックレストアクチュエータシャフトを含んでよい。
【００１０】
一つの実施形態において、ヘッドレストが、ヘッドレストの最下位置から少なくとも３０ｍｍ、好ましくは６０ｍｍ及びより好ましくは９０ｍｍの上昇に調整可能であり、バックレストが、水平から少なくとも５°、好ましくは１０°及びより好ましくは１５°の傾斜角度に調整可能である。ヘッドレスト及びバックレストは、最下位置と最上位置との間で連続的に調整可能であってよい。代替的に、ヘッドレスト及びバックレストは、多数の位置に調整可能であってよい。
【００１１】
一つの実施形態において、ヘッドレスト及びバックレストが独立して調整可能である。
【００１２】
本発明の第２の広い態様によれば、本発明の第１の広い態様に記載のベッドの構造の外側ベッドフレームへ挿入されることのできるインサートが提供され、このインサートは、
インサートフレーム；
ヘッドレストクッションを支持するように適合され、かつヘッドレストの高さを調整可能にするために、ヘッドレストアクチュエータを介してインサートフレームに連結される、ヘッドレストベース；
ショルダーアームレストクッションを支持するように適合されるショルダーアームレストベース；及び
バックレストクッションを支持するように適合され、かつ傾斜を調整可能にするために、バックレストアクチュエータを介してインサートフレームに連結される、バックレストベース
を含む。
【００１３】
一つの実施形態において、インサートフレームが、ヘッドレストベース及びバックレストベースを受容する上体部分、及び下体クッションを支持するように適合される下体部分の、２部分に構築される。この２部分は取り外し可能であってよい。
【００１４】
一つの実施形態において、ヘッドレストアクチュエータが、インサートフレームにヘッドレストベースの下に配置されるフレーム延長部で取り付けられている。
【００１５】
一つの実施形態において、バックレストアクチュエータが、インサートフレームにバックレストベースのピボット軸の下に延在するエクステンションアームで取り付けられている。
【００１６】
本発明の第３の広い態様によれば、本発明の第２の広い態様に記載のインサート、ヘッドレストクッション、ショルダーアームレストクッション及びバックレストクッションを含むキットも提供される。
【００１７】
このキットは下体クッションを含んでもよい。
【図面の簡単な説明】
【００１８】
【図１】図１は、本発明の一実施形態により構築される、上昇位置にあるベッドの側面図である。
【００１９】
【図２】図２は、下降位置にある図１のベッドの側面図である。
【００２０】
【図３】図３は、図１のベッド内部に配置されるインサートの斜視図である。
【００２１】
【図４】図４は、図３のインサートの上体フレーム部分の斜視図である。
【００２２】
【図５Ａ】図５Ａは、図１のベッドのヘッドレストベースの斜視図である。
【００２３】
【図５Ｂ】図５Ｂは、ヘッドレストベース及びヘッドレストアクチュエータを受容するように適合される図１のベッドのフレーム延長部部分の斜視図である。
【００２４】
【図６】図６は、図１のベッドのバックレストベースの斜視図である。
【発明を実施するための形態】
【００２５】
実施形態の詳細な説明
本発明の一実施形態をここで記載する。
【００２６】
最初に図１を参照すると、上昇位置に調整された、本発明の一実施形態に係るベッドの側面図が示されている。ベッドは、木で構築され、ベッドヘッド１、ベッドサイドパネル２及びベッド足部３を含む、外側ベッドフレームを含み、ヘッドレスト、ショルダーアームレスト、及びバックレストと一体となっている。
【００２７】
ベッドの睡眠時表面は、典型的には適切な密度のポリウレタンフォーム又はラテックスフォーム材料から構築される、複数の分離したクッションに分割され、下部１０ｂの上に上部１０ａが配置されているヘッドレストクッション１０、ショルダーアームレストクッション１１、ベッドの中央領域から枢動するバックレストクッション１２及び下体クッション１３を含む。ヘッドレストクッション１０の上部１０ａの厚さは、その前部で約３５ｍｍ〜その後部で６０ｍｍの範囲であり、Ａｂｒａｈａｍの枕の先行技術に記載されているように、睡眠の快適性のために、チャネル１４をわずかに覆って延在する。ＷＯ２００９／１０３１０９に記載されているように、クッションを異なる領域において異なる密度を有するフォームから構成して、頭、首及び脊柱を整列させる、最も快適で人間工学的に有利な姿勢を使用者に提供してよい。
【００２８】
ヘッドレストクッション１０は、ヘッドレストガイドレール２２によって直線運動が安定化された、高さが調整可能なヘッドレストベース２０によって支持される。ヘッドレストベース２０は、電気的アクチュエータモーター２３によって動力を与えられるアクチュエータに取り付けられている。アクチュエータは、インサートフレーム（見えていない）のフレーム延長部２１に据え付けられる。バックレストクッション１２は、バックレストアクチュエータを介して調整可能なバックレストベース３０によって支持され、バックレストアクチュエータのギヤボックス３１が見えており、様々な傾斜角度αを提供する。ベッド及びその構成要素の典型的な寸法が、図に表示されている。ベッドヘッド１の高さＡは約１０００ｍｍである。図に示される睡眠時ヘッドレスト位置とヘッドレストベース２０の最下位置との間の距離Ｂは、理想的には約１５０ｍｍである。ヘッドレストの有用な最大上昇は、小さい子供に適切である可能性がある３０ｍｍ以上である。図に示される典型的な睡眠時位置と水平との間の傾斜角度αは、理想的には約１８．５°である。最大傾斜の有用な角度は、小さい子供に適切である可能性がある５°以上である。ヘッドレストガイドレール２２とベッドヘッド１の後部との間の距離Ｆは約２００ｍｍである。ベッドＥの全体の長さは約２２００ｍｍであり、バックレストベース３０の枢動軸及びベッド端部３の前部からの距離Ｄは約１３００ｍｍである。ベッド端部Ｃの高さは約６５０ｍｍである。全てのこれらの寸法は、例示的なものに過ぎず、身体のサイズ及び要求に応じて変えることができる。
【００２９】
上昇位置に調整されるとき、チャネル１４は、ヘッドレスト１０とバックレスト１２との間を横方向に延在し、チャネル１４のベースは、ヘッドレスト１０とバックレスト１２との間に延在しそれらを分離するショルダーアームレスト１１により形成される。このことにより、先行技術の上記のＡｂｒａｈａｍの枕により提供される睡眠時位置の提供が、本質的に可能となる。
【００３０】
ここで図２を参照すると、図１のベッドが、ヘッドレスト１０及びバックレスト１２を備えて示されており、ヘッドレスト１０及びバックレスト１２は最下位置に調整され、ショルダーアームレスト１１及び下体クッション１３と一直線になっている。これにより、ほぼ均一で平坦な睡眠時配置が提供され、これが、チャネルを形成していないバックレスト１２及びショルダーアームレスト１３の実質的に平らな睡眠時表面となっている。
【００３１】
ここで図３を参照すると、本発明の第２の態様のインサートが、図１のベッドに据え付けた状態から分離して示されている。インサートは主に、必要に応じて木及び鋼管から構築され、強く、十分に軽量で経済的な設計にするために、有限要素解析を用いて設計される。この実施形態の特定の構成及び図に示される比率は、バーチャルリアリティ技術を利用することによって最適化されているが、本技術分野において知られているように、実行可能な設計にするために、経験則及び試行錯誤などのあまり技術的に進んでいない方法を、もちろん使用することができる。
【００３２】
インサートは、２部分のインサートフレームを含む。上体部分４０はヘッドレストベース２０及びバックレストベース３０を受容し、それらの間に、ショルダーアームレスト１１のためのベースを提供する３７などの木製又は剛性弾性スラットを有する。下体部分５０は不動の下体クッション１３を支持する５１などの木製又は剛性弾性スラットを備える。インサートは、木製フレームベッドの木製スラットの通常の支持ベースを本質的に置き換え、パネル２に沿って設けられた内部棚の上に据え付けられる。通常、インサートフレームの上体部分４０及び下体部分５０は、金属ロッキングプレート（示されず）で一体的に取り付けられている。２部分を設けることにより、ベッドの異なる長さに合う様々な長さのインサートフレームを製造することができる。
【００３３】
ヘッドレストベース２０は、上体部分４０に、金属ブラケットを用いてボルト止めされるか、又は他のやり方でしっかりと取り付けられたフレーム延長部２１で、インサートフレームに連結される。フレーム延長部２１は、アクチュエータギヤボックス２３及びアクチュエータシャフト２４を備えるアクチュエータを格納し、ガイドレール２２が直線運動の安定化を助ける。バックレストベース３０は、上体部分４０の金属受け部４１にピボット取り付け点３３で取り付けられている。バックレストアクチュエータ（そのギヤボックス３１が見えている）は、一方の端部で、取り付け部３２でバックレストベース３０に枢動可能に取り付けられ、アクチュエータシャフトを介して、インサートフレームの上体部分４０に、エクステンションアーム４２の端部にある取り付け点４３で、取り付けられており、エクステンションアーム４２は、平坦な位置の最下傾斜から、理想的には少なくとも約１８．５°の最上傾斜へ、バックレストベース３０を枢動させるのに必要な幾何学的形状を提供する。
【００３４】
ここで図４を参照すると、さらなる詳細が見えている。バックレストベース３０及びその動作に関連して、スチールエクステンションアーム４２が、上体部分４０のスチールクロスビーム４４に取り付けられて示されており、アクチュエータモーター３４がギヤボックス３１を介してアクチュエータシャフトを駆動する。ヘッドレストベース２０及びその動作に関連して、木製フレーム延長部２１がアクチュエータギヤボックス２５に取り付けられており、アクチュエータモーター２３が見えている。フレーム延長部２１の木製クロスビーム２７は、アクチュエータギヤボックス２５の上端部を格納しており、アクチュエータギヤボックス２５を通ってアクチュエータシャフト２４が現れ出る。クロスビーム２７はまた、ナイロンライニングスチールブッシュ２６を格納し、ナイロンライニングスチールブッシュ２６を通ってガイドレール２２がスライドする。
【００３５】
ここで図５Ａを参照すると、ヘッドレストベース２０のさらなる詳細が示されている。ベース２０は、円形断面の鋼管により縁取られ、円形断面の中心鋼管支柱６０が、中心を強化する。平坦な木製又は剛性弾性スラット６１は、ヘッドレストクッション１０を支持するのに十分にベースを閉じる働きをする。
【００３６】
ここで図５Ｂを参照すると、フレーム延長部２１が孤立して示されており、アクチュエータギヤボックス２５の取り付けのための金属取り付け点７１及びアクチュエータギヤボックス２５の上端部を格納する木製クロスビーム２７の正方形開口７０を含む。
【００３７】
ここで図６を参照すると、バックレストベース３０が孤立して示されており、アクチュエータギヤボックス３１の枢動可能な取り付けのための取り付け点３２を含む。ヘッドレストベース２０のように、バックレストベース３０は、円形断面鋼管により縁取られ、アクチュエータのための取り付け点３２に隣接して、同様に円形断面鋼管から構成される強化支柱７６を同様に含む。平坦な木製又は剛性弾性スラット７７は、バックレストクッション１２を支持するのに十分にベースを閉じる働きをする。スチールブラケットピース７５は、取り付けピボット点３３を提供する。
【００３８】
理解されるように、典型的には、ハンドヘルド有線又は無線制御が、デバイスの動作極の間のヘッドレスト２０及びバックレスト３０の所望の位置への調整を動作させるために設けられる。ハンドヘルド制御は、各モーターにつき単純な独立した上下制御を含んでよく、又は代替的に若しくは加えて、各ベースの特定の位置に対応するいくつかのボタンを備えてよい。さらに、ハンドヘルド制御は、ヘッドレスト及びバックレストを人間工学的に許容される範囲に維持するようにプログラムされた関係で、同調して両方のアクチュエータを動作させるようにプログラムすることができる。
【００３９】
本発明は、睡眠時無呼吸の改善のための調整可能なベッドを提供するのに特に有用であるが、より一般的には、頭、首及び脊柱を整列させるのに役立つ、任意の目的のための快適な傾斜睡眠時位置を、及び必要に応じて均一で実質的に平らな平坦な睡眠時表面を提供するのに有用である。
【００４０】
当業者はまた、最も広い範囲及び特許請求の範囲から決定される本発明の範囲から逸脱することなく、本発明に多くの変更を加えることができることを理解するであろう。
【００４１】
例えば、上記の実施形態はモーター付きのシステムを記載しているが、電気に依存しない手動動作システムも本発明の範囲内である。さらに、バックレストクッション及び下体クッションが、連結されているか又は単一の一体的な可撓性クッションとして設けられている実施形態も考えられる。またさらに、ヘッドレストクッション１０は、使用者が従来の枕を補う実施形態においては、最下の平坦な位置にあるベッド表面から盛り上がっている上部１０ａを必ずしも必要としない可能性があるが、上部１０ａにより設けられたオーバーハングが最適である。本発明は、発明の範囲内にとどまりながら、調整可能なヘッドレスト及びバックレストが片側又は両側に設けられ、これらが独立して調整可能又は共に調整可能であるように、ダブルベッドに適用することができる。またさらに、傾斜するバックレストがベッドの足部にまで延在し、下体レストが省略される実施形態も考えられる。また、ショルダーアームレストも高さが調整可能である実施形態も、発明の範囲内にある。
【００４２】
以下に続く特許請求の範囲において及び本発明の前述の説明において、明示的な言語又は必要な意味合いに起因して文脈が特に必要とする場合を除き、単語「含む（ｃｏｍｐｒｉｓｅ）」又は「含む（ｃｏｍｐｒｉｓｅｓ）」又は「含む（ｃｏｍｐｒｉｓｉｎｇ）」などの変形は、包括的な意味で、すなわち、述べられた特徴の存在を特定するが、本発明の様々な実施形態におけるさらなる特徴の存在又は追加を排除しないように、使用される。さらに、特許請求の範囲に記載された任意の方法ステップは、文脈が特に必要としない限り、時間的に記載された順序で実行されること、又はいったん開始すると一時停止なしに実行されることを、必ずしも意図しない。
【００４３】
任意の先行技術文献が本明細書中で言及されている場合、そのような参照は、オーストラリア又は任意の他の国において、その文献が、本技術分野における一般的な常識の一部を形成することを認めるものではないことが理解されるべきである。
【図１】
0006754758.tif 000002
【図２】
0006754758.tif 000003
【図３】
0006754758.tif 000004
【図４】
0006754758.tif 000005
【図５Ａ】
0006754758.tif 000006
【図５Ｂ】
0006754758.tif 000007
【図６】
0006754758.tif 000008